(57)【要約】【課題】つけまつ毛を容易かつ迅速に装着することができること。装着中ずれたり、離脱せず、正確に装着位置を維持することができること。【解決手段】極薄のベース１と、該ベース１の表面側に設けられたヘア材３と、該ベース１の裏面側に形成された粘着層７と、該粘着層７に貼着された剥離紙９と、取付けテープ３０とからなる。ベース１が伸長状態にてパッケージ４０に剥離紙９を介して剥離可能に貼着される。粘着層７の粘着力Ａは剥離紙９の接着されている力Ｂより小でかつ取付けテープ３０の吸着力Ｃより大であり、ベース１がパッケージ４０に貼着された状態で表面側からベース１に取付けテープ３０を貼着して引きはがしたときベース１が剥離紙９から離脱し、さらにベース１がまぶたに装着された状態で取付けテープ３０を引きはがしたときベース１より取付けテープ３０が離脱する。【選択図】図８
2012046852.tif 000002
【特許請求の範囲】
【請求項１】
極薄のベースと、該ベースの表面側に設けられたヘア材と、該ベースの裏面側に形成された粘着層と、該粘着層に貼着された剥離紙と、取付けテープとからなり、上記ベースがパッケージに上記剥離紙を介して剥離可能に貼着され、上記粘着層の粘着力は上記剥離紙の接着されている力より小でかつ取付けテープの吸着力より大であり、上記ベースがパッケージに貼着された状態で表面側から上記ベースに取付けテープを貼着して引きはがしたとき上記ベースが上記剥離紙から離脱し、さらに上記ベースがまぶたに装着された状態で上記取付けテープを引きはがしたとき上記ベースより上記取付けテープが離脱することを特徴とする取付けテープを用いたつけまつ毛。
【請求項２】
請求項１記載の取付けテープを用いたつけまつ毛において、上記取付けテープは細長いテープであり、表面の中央部に上記ヘア材の形成幅と同一幅のヘア材表示部が形成され、裏面にベースに貼着される吸着層が形成されることを特徴とする取付けテープを用いたつけまつ毛。
【請求項３】
請求項２記載の取付けテープを用いたつけまつ毛において、上記吸着層と上記ヘア材表示部とは「ずれ」を設けて形成されることを特徴とする取付けテープを用いたつけまつ毛。
【請求項４】
請求項３記載の取付けテープを用いたつけまつ毛において、上記吸着層の目頭側に非着部が形成されることを特徴とする取付けテープを用いたつけまつ毛。
【請求項５】
請求項４記載の取付けテープを用いたつけまつ毛において、上記非着部が２ｍｍであることを特徴とする取付けテープを用いたつけまつ毛。
【請求項６】
請求項３乃至請求項５のいずれか一記載の取付けテープを用いたつけまつ毛において、上記ヘア材表示部と目頭側端部との間にガイドラインが設けられることを特徴とする取付けテープを用いたつけまつ毛。
【請求項７】
請求項２乃至請求項６のいずれか一記載の取付けテープを用いたつけまつ毛において、上記ヘア材表示部と上記取付けテープの両端部には各々各別の色彩が施されることを特徴とする取付けテープを用いたつけまつ毛。
【請求項８】
請求項１記載の取付けテープを用いたつけまつ毛において、上記ベースの下端部が直線状にカットされ、上端部が突弧状にカットされることを特徴とする取付けテープを用いたつけまつ毛。
【請求項９】
請求項１記載の取付けテープを用いたつけまつ毛において、上記ベースの厚さが２０μ以下であることを特徴とする取付けテープを用いたつけまつ毛。
【請求項１０】
つけまつ毛のまぶたへの装着に用いられるテープであって、上記取付けテープは、表面の中央部に上記ヘア材の形成幅と同一幅のヘア材表示部が形成され、裏面にベースに貼着される吸着層が形成されることを特徴とするつけまつ毛用取付けテープ。
【請求項１１】
請求項１０記載のつけまつ毛用取付けテープにおいて、上記吸着層と上記ヘア材表示部とは「ずれ」を設けて形成されることを特徴とするつけまつ毛用取付けテープ。
【請求項１２】
請求項１１記載のつけまつ毛用取付けテープにおいて、上記ずれは上記吸着層の目頭側に非着部が形成されることを特徴とするつけまつ毛用取付けテープ。
【請求項１３】
請求項１２記載のつけまつ毛用取付けテープにおいて、上記非着部が２ｍｍであることを特徴とするつけまつ毛用取付けテープ。
【請求項１４】
請求項１０乃至請求項１３のいずれか一記載のつけまつ毛用取付けテープにおいて、上記ヘア材表示部と目頭側端部との間にガイドラインが設けられることを特徴とするつけまつ毛用取付けテープ。
【請求項１５】
請求項１０乃至請求項１４のいずれか一記載のつけまつ毛用取付けテープにおいて、上記ヘア材表示部と上記取付けテープの両端部には各々各別の色彩が施されることを特徴とするつけまつ毛用取付けテープ。
【請求項１６】
剥離紙がパッケージに接着されたパッケージ状態のつけまつ毛のベースに、表面側から取付けテープを貼着するステップと、上記取付けテープを操作して上記パッケージより引き剥がしたつけまつ毛をまぶたに装着するステップとからなり、まぶたへの装着ステップは上記取付けテープのガイドラインを目頭の位置に合わせ、中央部をまぶたに接着するステップと、次いで目頭側の一端部をまぶたに装着するステップと、次いで目尻側の他端部をまぶたに装着するステップとからなることを特徴とするつけまつ毛の装着方法。
【請求項１７】
請求項１６記載のつけまつ毛の装着方法において、上記つけまつ毛はベースにヘア材が貼着されてなることを特徴とするつけまつ毛の装着方法。
【請求項１８】
請求項１６記載のつけまつ毛の装着方法において、上記つけまつ毛はベースにヘア材が植え付けられてなることを特徴とするつけまつ毛の装着方法。
【発明の詳細な説明】
【技術分野】
【０００１】
本願発明はつけまつ毛、つけまつ毛用取付けテープ及びつけまつ毛の装着方法に関する。
【背景技術】
【０００２】
つけまつ毛は、まぶたという人体の皮膚の中でも最も薄く、かつ、人体の器官の中でも最も敏感なところに付着するものであるため、まぶたに負担のかからないようにしなければならない。
【０００３】
しかしながら、従来のつけまつ毛はそのようにはなっていなかった。具体的には、従来のつけまつ毛は、図１６に示すような全部製品、図１７に示すような部分製品があった。
【０００４】
図１６のつけまつ毛は、幅員０．５ｍｍ位の極細線状ベース１０１に人工まつ毛が植え付けられ、まつ毛１２２の直上の上瞼に接着剤により貼着していた。図１７のつけまつ毛は、脱落したまつ毛１２２の部分その他の補強箇所に通常１乃至数箇所のレベルでピンセット等を用いて点状に貼着する。
【先行技術文献】
【特許文献】
【０００５】
【特許文献１】特願２００９−２１５９５５
【特許文献２】特願２０１０−１７２５７６
【発明の概要】
【発明が解決しようとする課題】
【０００６】
上記いずれの場合も、従来においては貼着に当たり接着剤を用いるため、一歩間違えば目を損傷することにもなりかねないリスクがあった。よって、貼着作業は慎重に行われるが、なかなか上手くいかず時間がかかっていた。時には上手く貼着できない状態で使用する結果にもなりかねなかった。
【０００７】
これは次の理由による。図１８に示すように、従来のつけまつ毛は線状であるため、貼着の際つけまつ毛が種々に変形するがその変形が垂直方向にも水平方向にもなり、３６０度あらゆる方向に変形する。つけまつ毛の貼着は上瞼の下端という唯でさえ貼着が困難な部位に、変形自在の線状つけまつ毛を貼着するというのは位置合わせが非常に困難であり、高度の習熟を要するからである。
【０００８】
また上手く貼着できた場合でも、貼着面積が線状又は点状と非常に小であるため、装着中瞼の上下動によりずれてくることがあり甚だ不体裁であった。
【０００９】
従来のつけまつ毛はベース１０１が線状又は点状であって接着面積が小であるため、使用時間が短く、洗顔により脱落したりずれたりすることがあった。
【００１０】
さらに、溶剤を含有する接着剤を用いるため、装着後溶剤の揮発により一定時間目を開けることができなかった。
【００１１】
さらにまた、まぶたへの装着時又は装着中に線状のベースのとくに両端部がまぶたに当たり、装着者に苦痛を与えていた。また線状物の装着となるため装着の持続時間が長くても６時間程度と短く、洗顔や涙により容易に離脱し易いという欠点があった。
【００１２】
そこで、本出願人は上記特許文献を提案したのである。
【００１３】
しかしながら、つけまつ毛においては、上記したまぶたの特殊性があるため、実際の装着作業は容易でないことが多く、高度の習熟を要することが多い。
【００１４】
本願発明の目的は上記欠点を解消すること、具体的には、つけまつ毛を容易、迅速かつ正確に装着することができるつけまつ毛、つけまつ毛用取付けテープ及びつけまつ毛の装着方法を供することを目的とする。また、装着中ずれたり、離脱せず、正確に装着位置を維持することができるつけまつ毛、つけまつ毛用取付けテープ及びつけまつ毛の装着方法を供することを目的とする。
【課題を解決するための手段】
【００１５】
上記目的達成のため、本願発明による取付けテープを用いたつけまつ毛は、極薄のベースと、該ベースの表面側に設けられたヘア材と、該ベースの裏面側に形成された粘着層と、該粘着層に貼着された剥離紙と、取付けテープとからなり、上記ベースがパッケージに上記剥離紙を介して剥離可能に貼着され、上記粘着層の粘着力は上記剥離紙の接着されている力より小でかつ取付けテープの吸着力より大であり、上記ベースがパッケージに貼着された状態で表面側から上記ベースに取付けテープを貼着して引きはがしたとき上記ベースが上記剥離紙から離脱し、さらに上記ベースがまぶたに装着された状態で上記取付けテープを引きはがしたとき上記ベースより上記取付けテープが離脱することを特徴とする。
また請求項１記載の取付けテープを用いたつけまつ毛において、上記取付けテープは細長いテープであり、表面の中央部に上記ヘア材の形成幅と同一幅のヘア材表示部が形成され、裏面にベースに貼着される吸着層が形成されることを特徴とする。
また請求項２記載の取付けテープを用いたつけまつ毛において、上記吸着層と上記ヘア材表示部とは「ずれ」を設けて形成されることを特徴とする。
また請求項３記載の取付けテープを用いたつけまつ毛において、上記吸着層の目頭側に非着部が形成されることを特徴とする。
また請求項４記載の取付けテープを用いたつけまつ毛において、上記非着部が２ｍｍであることを特徴とする。
また請求項３乃至請求項５のいずれか一記載の取付けテープを用いたつけまつ毛において、上記ヘア材表示部と目頭側端部との間にガイドラインが設けられることを特徴とする。
また請求項２乃至請求項６のいずれか一記載の取付けテープを用いたつけまつ毛において、上記ヘア材表示部と上記取付けテープの両端部には各々各別の色彩が施されることを特徴とする。
また請求項１記載の取付けテープを用いたつけまつ毛において、上記ベースの下端部が直線状にカットされ、上端部が突弧状にカットされることを特徴とする。
また請求項１記載の取付けテープを用いたつけまつ毛において、上記ベースの厚さが２０μ以下であることを特徴とする。
また本願発明によるつけまつ毛用取付けテープは、つけまつ毛のまぶたへの装着に用いられるテープであって、上記取付けテープは、表面の中央部に上記ヘア材の形成幅と同一幅のヘア材表示部が形成され、裏面にベースに貼着される吸着層が形成されることを特徴とする。
また請求項１０記載のつけまつ毛用取付けテープにおいて、上記吸着層と上記ヘア材表示部とは「ずれ」を設けて形成されることを特徴とする。
また請求項１１記載のつけまつ毛用取付けテープにおいて、上記ずれは上記吸着層の目頭側に非着部が形成されることを特徴とする。
また請求項１２記載のつけまつ毛用取付けテープにおいて、上記非着部が２ｍｍであることを特徴とする。
また請求項１０乃至請求項１３のいずれか一記載のつけまつ毛用取付けテープにおいて、上記ヘア材表示部と目頭側端部との間にガイドラインが設けられることを特徴とする。
また請求項１０乃至請求項１４のいずれか一記載のつけまつ毛用取付けテープにおいて、上記ヘア材表示部と上記取付けテープの両端部には各々各別の色彩が施されることを特徴とする。
また本願発明によるつけまつ毛の装着方法は、剥離紙がパッケージに接着されたパッケージ状態のつけまつ毛のベースに、表面側から取付けテープを貼着するステップと、上記取付けテープを操作して上記パッケージより引き剥がしたつけまつ毛をまぶたに装着するステップとからなり、まぶたへの装着ステップは上記取付けテープのガイドラインを目頭の位置に合わせ、中央部をまぶたに接着するステップと、次いで目頭側の一端部をまぶたに装着するステップと、次いで目尻側の他端部をまぶたに装着するステップとからなることを特徴とする。
また請求項１６記載のつけまつ毛の装着方法において、上記つけまつ毛はベースにヘア材が貼着されてなることを特徴とする。
また請求項１６記載のつけまつ毛の装着方法において、上記つけまつ毛はベースにヘア材が植え付けられてなることを特徴とする。
【発明の効果】
【００１６】
本願発明によれば、つけまつ毛各部の粘着力、接着力、吸着力の間に
剥離紙の接着力＞ベースの粘着力＞取付けテープの吸着力
の関係があるため、取付けテープの接着、引剥しという簡単な操作により、つけまつ毛をまぶたに簡単に装着することができる。
【００１７】
また装着動作は装着されたつけまつ毛の装着力に全く影響を与えないから、装着中つけまつ毛がずれたり離脱するおそれがない。
【図面の簡単な説明】
【００１８】
【図１Ａ】（Ａ）は本願発明によるつけまつ毛をパッケージ化した状態の正面図、（Ｂ）は（Ａ）のＢ視斜面図である。
【図１Ｂ】（Ｃ）は図１Ａ（Ａ）のＣ視斜面図、（Ｄ）は（Ｃ）のＤ−Ｄ拡大断面図である。
【図２】（Ａ）は本願発明によるつけまつ毛の実施例を示す正面図、（Ｂ）は（Ａ）の平面図、（Ｃ）は（Ａ）の拡大左側面図、（Ｄ）は（Ａ）の背面図、（Ｅ）は（Ａ）の斜面図、（Ｆ）は（Ｄ）のＦ部拡大図である。
【図３】（Ａ）は本願発明によるつけまつ毛に用いられるベースの実施例を示す正面図、（Ｂ）は同他の実施例を示す正面図である。
【図４】（Ａ）は本願発明によるつけまつ毛に用いられるヘア材の例を示す正面図、（Ｂ）は（Ａ）の右側面図、（Ｃ）は同さらに他の実施例を示す正面図、（Ｄ）は（Ｃ）の右側面図、（Ｅ）は同さらに他の実施例を示す正面図、（Ｆ）は（Ｅ）の右側面図、（Ｇ）は同さらに他の実施例を示す正面図、（Ｈ）は（Ｇ）の右側面図である。
【図５】本願発明によるつけまつ毛用取付けテープを示し、（Ａ）は右目用取付けテープの正面図、（Ｂ）は（Ａ）の裏面図、（Ｃ）は目との位置関係を示す図、（Ｄ）は左目用取付けテープの正面図、（Ｅ）は（Ｄ）の裏面図、（Ｆ）は目との位置関係を示す図である。
【図６】本願発明によるつけまつ毛の製造方法の例を示し、（Ａ）は第１工程、（Ｂ）は第２工程、（Ｃ）は第３工程、（Ｄ）は第４工程及び第５工程を示す。
【図７】（Ａ）は本願発明によるつけまつ毛に取付けテープを装着した状態を示す正面図、（Ｂ）はパッケージからつけまつ毛を剥すステップを示す図である。
【図８】（Ａ）は本願発明によるつけまつ毛をまぶたに装着する姿勢を示す図、（Ｂ）は本願発明によるつけまつ毛をまぶたに装着する第１ステップを示す図である。
【図９】（Ｃ）は本願発明によるつけまつ毛をまぶたに装着する第２ステップを示す図、（Ｄ）は同第３ステップを示す図である。
【図１０】（Ｅ）は本願発明によるつけまつ毛をまぶたに装着する第４ステップを示す図、（Ｆ）は同第５ステップを示す図である。
【図１１】本願発明によるつけまつ毛の装着状態を説明する図である。
【図１２】（Ａ）は本願発明によるつけまつ毛の装着状態を示す概略正面図、（Ｂ）は（Ａ）の右側面図、（Ｃ）は（Ｂ）のＣ部拡大図である。
【図１３】（Ａ）はベースの切断を説明する図、（Ｂ）は本願発明によるベースの切断を説明する図である。
【図１４】（Ａ）は本願発明によるつけまつ毛の他の実施例を示す正面図、（Ｂ）は（Ａ）の平面図、（Ｃ）は（Ａ）の拡大左側面図、（Ｄ）は（Ａ）の背面図、（Ｅ）は（Ａ）の斜面図、（Ｆ）は（Ｄ）のＦ部拡大図である。
【図１５】（Ａ）は本願発明によるつけまつ毛の他の実施例を示す拡大側面図、（Ｂ）は（Ａ）のＢ部拡大図、（Ｃ）はさらに他の実施例を示す拡大側面図である。
【図１６】（Ａ）は従来のつけまつ毛の一例を示す正面図、（Ｂ）は（Ａ）のつけまつ毛の装着状態を示す概略正面図である。
【図１７】従来のつけまつ毛の他の例を示す正面図、（Ｂ）は（Ａ）のつけまつ毛の装着状態を示す概略正面図である。
【図１８】従来のつけまつ毛の装着状態を説明する図である。
【発明を実施するための形態】
【００１９】
次に、実施の形態を示す図面に基づき本願発明によるつけまつ毛をさらに詳しく説明する。なお、便宜上同一の機能を奏する部分には同一の符号を付してその説明を省略する。
【００２０】
図１Ａ乃至図５において、１はベースであり、人皮程度の極薄のシート（例えば厚さ２０μ）からなる。該ベース１は伸縮性のある素材例えばポリウレタン製であり、色彩は透明で薄い肌色であり、実質平たい平面形状に形成される。該ベース１は、表面の下端部１ｃに長手方向に沿って余白部２ａが設けられ（図２（Ｆ）に最もよく示す）、該余白部２ａを残して下端部１ｃに接着層４が形成される。また接着層４の両端部にも略同大の余白部２ｂが設けられる（図２（Ｆ）に最もよく示す）。上記接着層４はＵＶ硬化剤からなり、上記ベース１上に直線状に形成され（図６（Ｂ）に示す）、ここにヘア材３が貼着される。１ｄは突弧状に形成されたベース１の上端部である。上記ベース１の裏面には全面に人体に装着させるための医療用接着剤からなる粘着層７が形成される。該粘着層７は例えばアクリル系粘着剤からなり、転写法により、上記ベース１の裏面全面に均等な厚さで形成される。
【００２１】
ヘア材３は例えばポリエステル繊維からなり、上記ベース１に個々に分離状態にて貼着される。該ヘア材３は先端部が上方に向かってカールして形成され、かつ先細りのテーパ状に形成される。上記ヘア材３の根元部５は、図２（Ｃ）に示すように球状に形成され、上記接着層４に貼着される。この貼着は、図２（Ｃ）に示すように、上記根元部５が上記接着層４の下端部４ａに位置するようにする。その理由は後述する。
【００２２】
９はＰＥＴからなる剥離紙であり、上記粘着層７に剥離可能に貼着される。上記剥離紙９は、裏面に接着剤からなる約６０μの接着層９ａ（図１（Ｄ）に示す）が形成され、表面に後記パッケージ４０の正面部４０ａからの剥離が容易となるよう適宜の表面加工（図示省略）がされる。
【００２３】
図３は図２のつけまつ毛に使用されるベース１を示す。ここで余白部について説明する。余白部２ａ、２ｂの大きさは、毛髪１本分の直径より小程度とする。具体的には、ａ1＝約０．１ｍｍ乃至約０．６ｍｍ、ａ2＝約０．１ｍｍ乃至約０．６ｍｍ程度とするのが望ましい。なお、本実施例の場合ベース１は、日本人の目の大きさｉ（図１２（Ａ）に示す）が平均約３０ｍｍであるため、長さＬ＝約２６ｍｍとしてあり、最大幅は一重用Ｗ1＝約２．６ｍｍ、二重用、奥二重用Ｗ2＝約４ｍｍとしてある。なお、ベース１の形状は、適用されるまぶたの形状により種々あるため、図３では最大幅を「Ｗ」として総称的に表わしている。
【００２４】
またここでヘア材３について説明する。図２の実施例においては、個々に分離状態にて貼着される多数本からなるヘア材３が、線状部材３１にて連結した状態で接着層４に貼着される。上記ヘア材３の態様は種々あり、例えば図４に示すように、単一又は複数の線状部材３１に多数本のヘア材３を絡ませたり（絡合）、結着させる。図４（Ａ）、（Ｂ）は絡み合う２本の線状部材３１、３１の間に多数本のヘア材３を挟み込み、接着層４の接着成分の中に挿入した場合である。図４（Ｃ）、（Ｄ）は平行する２本の線状部材３１、３１の間に多数本のヘア材３を挟持し、接着層４の接着成分の中に挿入した場合である。図４（Ｅ）、（Ｆ）は１本の線状部材３１に多数本のヘア材３を接着剤で接着し、この状態で接着層４の接着成分の中に挿入した場合である。図４（Ｇ）、（Ｈ）は１本の線状部材３１にヘア材３を多数結着させ、この状態で接着層４の接着成分の中に挿入した場合である。線状部材３１としては、糸、テグスなどがある。ヘア材３の長さｄは２ｍｍ位〜１２ｍｍ位に形成される。貼着されるヘア材３の幅ｅは１０ｍｍ位〜５０ｍｍ位が多い。各ヘア材３は図４（Ａ）〜（Ｈ）に示すヘア材ユニット３Ａの段階からすべて上方にカールしており、中央付近のヘア材３が他の部分のものより長く形成されている。
【００２５】
なお、図４は模式図であり、ヘア材３の植え付け本数は簡略化して示してある。
【００２６】
４０は正面部４０ａがわん曲されてなるパッケージである。該パッケージ４０には、剥離紙９の裏面に塗布された接着剤からなる接着層９ａ（図１Ｂ（Ｄ）に示す）が剥離可能に貼着される。上記構成のつけまつ毛はかかる状態で出荷され、店頭にディスプレイされる。
【００２７】
図５は取付けテープ３０を示す。該取付けテープ３０は幅Ｄ＝２ｍｍ、長さＬ1＝８０ｍｍの細長いテープであり、表面の中央部に、上記ヘア材３が上記ベース１に貼着される幅と同一幅Ｌ2のヘア材表示部３１が形成され、裏面に同一幅Ｌ2で上記ベース１に貼着される吸着層３３が形成される。本実施例の場合Ｌ2＝２６ｍｍである。３５はガイドラインであり、該ヘア材表示部３１より所定の間隔Ｌ3だけ目頭側端部３０ａ側に離間した位置に形成される。該所定の間隔Ｌ3は、日本人の平均値より割り出した数値、例えば、一重まぶた用の場合４ｍｍ、二重まぶた用及び奥二重まぶた用の場合７ｍｍに設定される。上記吸着層３３と上記ヘア材表示部３１とは「ずれ」を設けて形成される。即ち、上記吸着層３３は所定の間隔Ｌ4だけ目尻側端部３０ｂに変位されて形成される。よって、吸着層３３の目頭側端部３０ａ側の端部に、吸着剤のない非着部３３ａが形成される。この非着部３３ａの大きさは、例えば、一重まぶた用の場合２ｍｍ、二重まぶた用及び奥二重まぶた用の場合２ｍｍに設定される。
【００２８】
上記ガイドライン３５の逃げ位置Ｌ3を設けるのは次の理由からである。第１に、上記ガイドライン３５を目頭２１ｂギリギリに形成するとベース１がまぶたより剥離し易いという欠点があるためである。これは試行錯誤の結果、本発明者が発見した事実に基づく。第２に、まぶたの二重ラインは正確にいうと、目頭２１ｂから始まっていないので、一重まぶたの場合に上記ガイドライン３５を目頭２１ｂギリギリに形成すると二重ラインが自然の状態から変更されてしまうからである。また二重まぶたの場合には、自らの二重ラインが崩されてしまうからである。よって、上記ガイドライン３５の逃げ位置Ｌ3を一重まぶた用では４ｍｍ、二重まぶた用及び奥二重まぶた用では７ｍｍに設定したのである。
【００２９】
取付けテープ３０の中央部に設けられるヘア材表示部３１と、両端部３０ａ、３０ｂとは、つけまつ毛の上まぶた２０への装着動作を円滑にするため、各別の色彩が施される。本実施例の場合、ヘア材表示部３１はピンク色に、目頭側端部３０ａは緑色に、目尻側端部３０ｂは青色に色分けされている。
【００３０】
ここで、各部の着力の関係について述べる。上記ベース１の粘着力Ａ、剥離紙９の接着力Ｂ及び取付けテープ３０の吸着力Ｃは、
剥離紙９の接着力Ｂ＞ベース１の粘着力Ａ＞取付けテープ３０の吸着力Ｃ（ただし、剥離紙９の表面に剥離容易となる表面加工がなされる）
の関係にある。
【００３１】
<製造工程>
本願発明によるつけまつ毛は、例えば次の工程により製造される。
【００３２】
本願発明によるつけまつ毛用ベースを用いたつけまつ毛の製造は、例えば次の工程による。
【００３３】
第１工程（ベース供給工程）
作業台１２の作業位置Ｔの上にリール１３に巻かれた長尺状のベース母材１Ｍから１区画分のベース母材１Ｍが供給される（図６（Ａ））。上記ベース母材１Ｍの裏面には粘着層７が形成され、その裏には剥離紙９が貼られている。
【００３４】
第２工程（接着剤供給工程）
上記１区画分のベース母材１Ｍの適宜位置に接着層４となる接着剤が供給される（図６（Ｂ））。接着層４は、便宜上、図６（Ｂ）及び図６（Ｄ）では水平方向に２箇配設されるが、適宜箇数歩留りの良いように１区画分のベース母材１Ｍ上に設けられる。上記接着剤の供給は、作業台上に固定された１区画分のベース母材１Ｍ上に、図示しない供給パイプを水平に移動することにより直線状になされる。
【００３５】
第３工程（ヘア材の貼着工程）
多数のヘア材３を線状部材３１に連結してなるヘア材ユニット３Ａ（図６（Ｃ）に示す）を開閉自在の一対のロボット軸１５で把持し、この状態で上記ヘア材を上記ロボット軸１５を下降せしめて接着層４に貼着する（図６（Ｄ））。上記ヘア材３の貼着は、上記ロボット軸１５を適宜に位置調節することにより行なう。
【００３６】
第４工程（製品化工程）
かくして一点鎖線Ｍにて示す１区画分のベース母材１Ｍにヘア材が貼着されると、ベース１は図示しないサイズパターンスケールに合わせて所定形状に切断され、つけまつ毛製品となる。このような作業が連続的に繰り返される。
【００３７】
ベース１は、レーザ光Ｒにより、図示しないカットラインに基づき下端部１ｃが直線状で上端部１ｄが突弧状の図３に示すような所定形状に切断される。ベース１のレーザ光Ｒによる切断については図１３を参照して後述する。
【００３８】
<つけまつ毛の装着方法>
【００３９】
本願発明によるつけまつ毛は剥離紙９がパッケージ４０に接着された状態でディスプレイされている（図１Ａ（Ａ）〜図１Ｂ（Ｄ））。
【００４０】
このパッケージ状態のつけまつ毛のベース１に、表面側から取付けテープ３０を貼着する（図７（Ａ））。
【００４１】
次いで、上記取付けテープ３０の一端部を手に持って引き剥がす（図７（Ｂ））。
【００４２】
すると、各部の粘着力Ａ、接着力Ｂ，吸着力Ｃの間に次の関係があるため、剥離紙９がパッケージ４０に残され、ベース１が取付けテープ３０に貼着された状態でパッケージ４０から引き剥される。
【００４３】
剥離紙９の接着力Ｂ＞ベース１の粘着力Ａ＞取付けテープ３０の吸着力Ｃ
【００４４】
次いで、上記取付けテープ３０を両手で持ち、両肘を図示しないテーブルに固定した状態とする（図８（Ａ））。
【００４５】
次いで、取付けテープ３０を上まぶた２０に沿って配置する。このとき目２１は開とする（図８（Ｂ））。
【００４６】
次いで、ガイドライン３５を目頭２１ｂの位置に合わせ、取付けテープ３０の中央部３０ｃを上まぶた２０に着ける（図９（Ｃ））。このとき目２１は開のままである。
【００４７】
次いで、目頭側端部３０ａ、次いで目尻側端部３０ｂの順にわん曲下降させる（図９（Ｄ））。このとき目２１は開のままである。２１ｃは目尻を示す。
【００４８】
このように、中央部３０ｃ、目頭側端部３０ａ、目尻側端部３０ｂの順に取付けテープ３０を指で上から押さえてベース１を上まぶた２０に固定し装着する。このときつけまつ毛を自まつ毛の生え際に沿って貼着するようにする。装着後取付けテープ３０を剥す（図１０（Ｅ））。
【００４９】
かくして右目側上まぶた２０へのつけまつ毛の装着は完了する（図１０（Ｆ））。
【００５０】
同様の要領で左目側の調整をする。
【００５１】
上記実施の形態によれば次の効果がある。
【００５２】
<位置合わせ、ハンドリングの容易性、迅速性、正確性>
位置合わせにつき詳しく説明すると、取付けテープ３０、ベース１及びこれらを操作する手の力学的関係は次の如くになる。図８（Ａ）に示すように、まず、テーブルに着いた両肘が支点Ｆ、Ｆとなり、取付けテープ３０の両端部を操作する手指が力点Ｐ、Ｐとなり、この手指により動かされるベース１の一端部が作用点Ｏとなる。
【００５３】
このため、てこの原理により、作用点Ｏでは小さな動作を可能とするので、装着動作を微妙かつ繊細な動きに変換することが可能となる。
【００５４】
また両肘が支点Ｆ、Ｆとなるため、装着動作が安定する。よって、上まぶた２０という極薄かつ鋭敏な器官への装着を容易、迅速かつ正確に行なうことができる。
【００５５】
また、上まぶた２０に対しベース１が中央部及び両端部において確実に装着されるので、装着中のずれ、離脱を確実に防止し、また装着位置を正確に維持することが可能となる。
【００５６】
さらに、本願発明によるつけまつ毛は貼着面が面状に幅広に構成され、この幅広の貼着面が上瞼２０に貼着される。この貼着に当たり、ベース１は面状であって基端部１ｃが実質上直線状にかつ先端部１ｄが突弧状に形成されているから、取付けテープ３０をベース１に取り付け易い。ベース１の変形は、従来３６０°のあらゆる方向に変形しているのに対し、図１１に示すように、一方向のみ（上下方向）であり、それ以外の変形は実質上無視することができる。
【００５７】
よってつけまつ毛の装着に当たり、上瞼２０下縁へのヘア材３の位置合わせ及び取付けは取付けテープ３０の接着、引剥しという簡単な操作をすることと、ベース１の面が幅広の取扱い易い面であることから非常に容易となり、装着作業の手間と時間を大幅に節約することができる。また貼着面が面状であり上瞼２０に貼着される面積が広いので、装着中つけまつ毛がずれたり離脱するおそれがない。
【００５８】
<装着点の視認効果>
ベース１の中央部を固定した後てこの原理により装着することができるということは、換言すれば、装着される上まぶた２０付近には手指その他の物がないということであり、このため、装着点を見ながら装着することが可能となる。なお、装着動作中は必ず目２１を開にしてなす必要がある。
【００５９】
よって装着点が隠弊されず、従来勘に頼っていた装着動作を視認により確実になすことができる。
【００６０】
これによっても、確実かつ正確な装着、容易迅速な装着、見映えの良い美麗な装着をすることができる。
【００６１】
<装着の美麗効果等>
ベース１は厚さが２０μｍ程度、取付けテープ３０の吸着層３３も６０μ程度と極薄素材からなるため、従来のように剥離紙９からベース１を剥した状態でピンセット等により上まぶた２０に貼着しようとすると、手指のちょっとした動作によっても手元が狂い、これによりベースフィルムがくちゃくちゃになったり、正確に装着動作をしたように思ってもベース１にしわが寄ったまま貼着してしまうことが多発していた。
【００６２】
しかしながら、本願発明によるつけまつ毛においては、ベース１が取付けテープ３０によって伸長された状態で上まぶた２０に貼着されるから、取付けしわのない状態で確実に上まぶた２０に貼着することができる。これにより、目元が一層美麗に見える効果がある。
【００６３】
上まぶた２０に装着するベースフィルムは柔らかく、かつ薄くする方が望ましいのであるが、そうすればする程ハンドリング性、位置合わせ性は低下する。つまり、ハンドリング性、位置合わせ性と美麗効果との同時達成は困難なのであるが、本願発明においては上記した位置合わせ性、ハンドリング性の効果があることにより、ベース１の素材を一層薄く柔らかくすることが可能になり、使用感も向上する。
【００６４】
吸着層３３を目頭２１ｂまで設けると、上瞼２０に装着後取付けテープ３０のみを剥がす際につけまつ毛までもが剥がれるおそれがあるが、本願発明においては、取付けテープ３０の吸着層３３とヘア材表示部３１との間に「ずれ」があり、非着部３３ａを設けてあるため、かかるおそれがない。
【００６５】
取付けテープ３０はガイドライン３５がヘア材表示部３１より所定間隔Ｌ3離れて形成されているため、ベース１がまぶたからずれたり剥離されるのを防止することができる。
【００６６】
またガイドライン３５が逃げ位置Ｌ3を設定されて形成されるため、まぶたの二重ラインの破壊または変更を防止することができる。
【００６７】
<その他の効果>
ベースフィルムは極薄のため損傷し易いのであるが、本願発明においては先の尖ったピンセット等ではなく、取付けテープ３０を用いて取り付けるため、ベース１の損傷を防止する。よってベース１の損傷による目への傷害危険を防止するだけではく、美感が向上する効果がある。
【００６８】
上記各実施の形態においては、上記したところに加え、ヘア材３がヘア材ユニット３Ａからレーザ光により切断されて取り出されるため、次の効果がある。
【００６９】
各ヘア材３は上方にカールした状態を維持したまま分離状態でベース１に貼着されているが、まぶたに装着されると、後述のように上瞼２０が突弧状に開となるため、貼着された各ヘア材３の各根元部５も上瞼２０に沿って突弧状となる。この結果平行に貼着されていた各ヘア材３に放射状の角度がつき、各ヘア材３間に形成されている隙間がより拡開される。各ヘア材３のラインは図１２（Ａ）乃至図１２（Ｃ）に示すように自まつげ２２の直上に貼着されるから、自まつげ２２がこの拡開された隙間から顔を出し各ヘア材３のラインと同一ライン上になる。よって装着されたつけまつ毛が自毛と渾然一体となる効果がある。
【００７０】
ヘア材３の根元部５が球状に形成されるため、根元部５の球面のどの部分でも接着層４に貼着することができる。よってヘア材３の貼着角度を調節することができるので、用途によって製品を群別でき、製品の拡張を図ることができる。例えば、図２（Ｃ）に示すように接着層４に対しヘア材３を直交状に貼着すればまつ毛が大きく見えるので若者向けとなり、図１５（Ｃ）に示すように接着層４に対しヘア材３を傾斜して貼着すればまつ毛の量が多く見えるので年配者向けとなる。
【００７１】
ここで上瞼２０への装着良好性及び装着容易性を前記したレーザ光による切断効果との関係でさらに詳しく述べる。まず、ヘア材３は把持された状態においてレーザ光により直線状に切断されるから、ヘア材３の根元部５が球状に形成され、根元部５の球面のどの部分でも接着層４に貼着することができる。よってカールした毛先の方向性が整列された状態のまま容易に上瞼２０に貼付することができるのである。
【００７２】
また、ベース１は上瞼２０下縁の自毛に沿って貼着されるところ、ヘア材３の根元部５が接着層４の下端部４ａに貼着されるため、貼着されたヘア材３に沿って若干の余白部２ａを残してベース１をぎりぎりにカットすることができる。このため、自まつ毛２２とヘア材３とが図１２（Ａ）乃至図１２（Ｃ）に示すように略同一線上に重なるから自まつ毛２２と区別することができず、このため見栄えが非常に良好となる。加えて接着層４の残部が視界に入ってこないので、視界が良好となる。つまり、ヘア材３の根元部５が接着層４の中央部に貼着されると、自まつ毛２２とヘア材３とが上下に二重になって甚だ不体裁となるだけでなく、接着層４の残部が視界に入ってくるので視界に霧がかかったようになって悪化するのであるが、これが防止される。
【００７３】
この点に関してさらに述べる。ベース１を図３に示す所定の形状に切断するには、ベース１の裏面からレーザ光Ｒを照射して行なう。この切断において、図１３（Ａ）に一点鎖線で示すように、レーザ光Ｒをベース１とくにヘア材３が貼着されるラインぎりぎりに沿って直角に照射すると、ヘア材３を損傷することが多い。そこでレーザ光Ｒは、図１３（Ａ）に実線で示すように、接着層４に対し傾斜（例えば接着層４に対し６０°くらいに傾斜させる）させて照射しベース１を切断している。このようにすれば接着層４付近に貼着されているヘア材３を損傷することが防止される。しかしながら、このようにレーザ光Ｒを傾斜して照射すると、ベース１の裏面に形成された粘着層７ａの全部又は一部が溶解して裏面から脱落又は一部が剥離してしまう。こうなると上瞼に装着したとき、上瞼との一体装着性は失なわれ、装着力が低下するだけでなく、ベース１の一部が上瞼から剥離するとベース１と上瞼との間にギャップができるので、いかにもつけまつ毛然となり外観上自然毛と見分けがつき易くなる。
【００７４】
また図１３（Ａ）に実線で示すように、接着層４に対し傾斜させてレーザ光Ｒを照射すると、ヘア材３を貼着する接着層４の一部を破壊損傷することがあり、こうなるとヘア材３がベース１から脱落するおそれがある。
【００７５】
本実施の形態においては、図１３（Ｂ）に実線で示すように、レーザ光Ｒを下端部１ｃとなるべき部位に対し傾斜（例えばベース１に対し６０°くらいに傾斜させる）させて照射してもベース１の表面の下端部相当部位１ｃに対し長手方向に沿って余白部２ａが設けられ、かつ接着層４の両端部にも略同大の余白部２ｂが設けられているので、ヘア材３を損傷することがなく、かつレーザ光Ｒの出力も小とできるので照射付近の粘着層７の溶解も防止される。よって装着中のつけまつ毛の上瞼からの脱落防止及びヘア材３のベース１からの脱落を防止することができる。
【００７６】
ヘア材３は肉眼では意識されない程度の若干の余白部２ａを残してベース１のぎりぎりに貼着される。このため、自まつ毛２２とヘア材３とが図１２（Ａ）乃至図１２（Ｃ）に示すように略同一線上に重なるから自まつ毛２２と区別することができず、このため見栄えが非常に良好となる。また前述のように接着層４の残部が視界に入ってこないので、視界が良好となる。つまり、ヘア材３がベース１のぎりぎりに貼着されていないと、自まつ毛２２とヘア材３とが上下に二重になって甚だ不体裁となるだけでなく、接着層４の残部が視界に入ってくるので視界に霧がかかったようになって悪化するのであるが、これが防止される。
【００７７】
また、ベース１の両端部にも余白部２ｂが残されるため、ここにヘア材３が貼着されることがないから、自まつ毛２２の生え際とヘア材３の貼着部位が一致する。よって加工されるつけまつ毛がより自然的になる効果がある。
【００７８】
さらに余白部２ａと自まつ毛２２との間に形成される若干のギャップｇ（図１２（Ｃ）に示す）にアイライン化粧料（図示せず）を塗布することもできる。
【００７９】
さらに図２に示す実施の形態の場合、ベース１は平面形状に形成され、二次元的にも三次元的にも特定のユーザ用に加工されていない。
【００８０】
上瞼２０の皮膚は経時的に劣化し段々とたるんでくるが、この引き上げ効果により上瞼２０の皮膚のたるみ程度に応じてカット面積を調節し、上瞼２０を上方に引き上げ、これにより、目元を一層ぱっちりとすることができ、アンチ・エージング効果が生ずる。
【００８１】
さらにまた、ベース１が平面状に形成され、該ベース１の下端部にヘア材３が直線状に形成される場合において、ベース１が上瞼２０に貼着されるとベース１が突弧状の上瞼２０に沿って突弧状になるため、個々分離状態で貼着されている各ヘア材３が放射状に拡開される。このためまつ毛（実は「つけまつ毛」）のラインが濃く見え、目元がぱっちり大きく見えるのである。
【００８２】
本願発明によるつけまつ毛は上記した実施の形態に限定されない。例えば、適用対象は、上記したベース１にヘア材３が貼着されてなるつけまつ毛だけでなく、ベース１にヘア材３が植え付けられてなるつけまつ毛にも適用することができ、適用対象を選ばない。
【００８３】
また、適用部位として、上記実施の形態では本願発明によるつけまつ毛を上瞼に装着する場合について説明したが、下瞼に装着することもできる。
【００８４】
ベース１は、図１４に示す如く、上瞼２０のわん曲形状に合致するよう三次元形状に形成されたつけまつ毛であっても適用可能であり、上記した作用、効果を奏することができる。
【００８５】
またヘア材３は、図１４の如く、線状部材３１なしに接着層４に多数本のヘア材を直接貼着することもできる。また線状部材３１を用いる場合において、上記ヘア材３と上記線状部材３１とは一体に形成することもできる。
【００８６】
ヘア材３は、根元部５が球状以外の他のわん曲形状（例えば断面弧状）であってもよく、また図１５（Ａ）、（Ｂ）に示すようにカッタ等により扁平状に切断されても上記と同様の効果を有する。
【００８７】
また各ヘア材３の根元部５の貼着角度は、上記各図示例のような直交状ではなく、図１５（Ｃ）に示すように下向きの傾斜状にすることもできる。この場合傾斜角度は例えば４５°が考えられるが、ユーザの目的、年齢等により適宜に選択される。
【００８８】
取付けテープ３０、ベース１、ヘア材３等の各部のサイズについて本文中で述べた数値は一例として理解すべきである。とくにベース１の厚さは極薄のシートであれば、例えば３０μ、４０μ、５０μ、６０μ、７０μ、８０μ、９０μであってもよい。なお、ヘア材３の長さは問わない。また取付けテープ３０の各サイズＬ2、Ｌ3、Ｌ4も、一例として理解すべきである。
【００８９】
接着層４を構成する接着剤は瞬間的に強固に接着する接着剤であればよく、例えばシアノアクリレートを主成分とする瞬間接着剤を用いることもできる。
【００９０】
ベース１への接着剤の供給に関し、上記実施の形態で述べたようにベース１は移動させずに接着剤を供給する場合、ベース１は作業台１２の上に区画分毎に切断して多数置いておき、接着剤を供給してもよいし、長尺状のベース１のまま作業台１２の上に置いておき接着剤の供給後に区画分毎に切断してもよい。
【００９１】
しかし、上記とは反対に、ベース１を移動させて、その移動時に接着剤を供給することが考えられる。この場合は、接着剤はベース１が一方向に供給されるとき供給パイプがベース１上に動作し、ベース１の移動時に所定時間ＯＮとなってベース１上に接着剤を直線状に供給する。
【００９２】
各ヘア材３の連接部の切断は接着層４の付与前又は接着剤供給と同時にしてもよい。
【産業上の利用可能性】
【００９３】
本願発明はつけまつ毛として活用することができる。
【符号の説明】
【００９４】
１      ベース
１ｂ    上部スペース
１ｃ    下端部
１ｄ    上端部
１Ｍ    ベース母材
２ａ    余白部
２ｂ    余白部
３      ヘア材
３Ａ    ヘア材ユニット
３ｂ    基端部
３１    線状部材
４      接着層
４ａ    下端部
５      根元部
６      先端部
７      粘着層
９      剥離紙
９ａ    接着層
１２    作業台
１３    リール
１５    ロボット軸
２０    上瞼
２１    目
２１ａ  上方曲線
２１ｂ  目頭
２１ｃ  目尻
２２    自まつ毛
３０    取付けテープ
３０ａ  目頭側端部
３０ｂ  目尻側端部
３０ｃ  中央部
３１    ヘア材表示部
３３    吸着層
３５    ガイドライン
４０    パッケージ
４０ａ  正面部
Ａ      ベースの粘着力
Ｂ      剥離紙の接着力
Ｃ      取付けテープの吸着力
Ｆ      支点
Ｐ      力点
Ｏ      作用点
Ｌ      カットライン
Ｍ      カットライン
Ｔ      作業位置
【図１Ａ】
2012046852.tif 000003
【図１Ｂ】
2012046852.tif 000004
【図２】
2012046852.tif 000005
【図３】
2012046852.tif 000006
【図４】
2012046852.tif 000007
【図５】
2012046852.tif 000008
【図６】
2012046852.tif 000009
【図７】
2012046852.tif 000010
【図８】
2012046852.tif 000011
【図９】
2012046852.tif 000012
【図１０】
2012046852.tif 000013
【図１１】
2012046852.tif 000014
【図１２】
2012046852.tif 000015
【図１３】
2012046852.tif 000016
【図１４】
2012046852.tif 000017
【図１５】
2012046852.tif 000018
【図１６】
2012046852.tif 000019
【図１７】
2012046852.tif 000020
【図１８】
2012046852.tif 000021
【手続補正書】
【提出日】平成23年5月2日(2011.5.2)
【手続補正１】
【補正対象書類名】明細書
【補正対象項目名】全文
【補正方法】変更
【補正の内容】
【発明の詳細な説明】
【技術分野】
【０００１】
本願発明はつけまつ毛、つけまつ毛用取付けテープ及びつけまつ毛の装着方法に関する。
【背景技術】
【０００２】
つけまつ毛は、まぶたという人体の皮膚の中でも最も薄く、かつ、人体の器官の中でも最も敏感なところに装着するものであるため、まぶたに負担のかからないようにしなければならない。
【０００３】
しかしながら、従来のつけまつ毛はそのようにはなっていなかった。具体的には、従来のつけまつ毛は、図１６に示すような全部製品、図１７に示すような部分製品があった。
【０００４】
図１６のつけまつ毛は、幅員０．５ｍｍ位の極細線状ベース１０１に人工まつ毛が植え付けられ、まつ毛１２２の直上の上瞼に接着剤により貼着していた。図１７のつけまつ毛は、脱落したまつ毛１２２の部分その他の補強箇所に通常１乃至数箇所のレベルでピンセット等を用いて点状に貼着する。
【先行技術文献】
【特許文献】
【０００５】
【特許文献１】特願２００９−２１５９５５
【特許文献２】特願２０１０−１７２５７６
【発明の概要】
【発明が解決しようとする課題】
【０００６】
上記いずれの場合も、従来においては貼着に当たり接着剤を用いるため、一歩間違えば目を損傷することにもなりかねないリスクがあった。よって、装着作業は慎重に行われるが、なかなか上手くいかず時間がかかっていた。時には上手く装着できない状態で使用する結果にもなりかねなかった。
【０００７】
これは次の理由による。図１８に示すように、従来のつけまつ毛は線状であるため、装着の際つけまつ毛が種々に変形するがその変形が垂直方向にも水平方向にもなり、３６０度あらゆる方向に変形する。つけまつ毛の装着は上瞼の下端という唯でさえ装着が困難な部位に、変形自在の線状つけまつ毛を装着するというのは位置合わせが非常に困難であり、高度の習熟を要するからである。
【０００８】
また上手く装着できた場合でも、装着面積が線状又は点状と非常に小であるため、装着中瞼の上下動によりずれてくることがあり甚だ不体裁であった。
【０００９】
従来のつけまつ毛はベース１０１が線状又は点状であって接着面積が小であるため、使用時間が短く、洗顔により脱落したりずれたりすることがあった。
【００１０】
さらに、溶剤を含有する接着剤を用いるため、装着後溶剤の揮発により一定時間目を開けることができなかった。
【００１１】
さらにまた、まぶたへの装着時又は装着中に線状のベースのとくに両端部がまぶたに当たり、装着者に苦痛を与えていた。また線状物の装着となるため装着の持続時間が長くても６時間程度と短く、洗顔や涙により容易に離脱し易いという欠点があった。
【００１２】
そこで、本出願人は上記特許文献を提案したのである。
【００１３】
しかしながら、つけまつ毛においては、上記したまぶたの特殊性があるため、実際の装着作業は容易でないことが多く、高度の習熟を要することが多い。
【００１４】
本願発明の目的は上記欠点を解消すること、具体的には、つけまつ毛を容易、迅速かつ正確に装着することができるつけまつ毛、つけまつ毛用取付けテープ及びつけまつ毛の装着方法を供することを目的とする。また、装着中ずれたり、離脱せず、正確に装着位置を維持することができるつけまつ毛、つけまつ毛用取付けテープ及びつけまつ毛の装着方法を供することを目的とする。
【課題を解決するための手段】
【００１５】
上記目的達成のため、本願発明による取付けテープを用いたつけまつ毛は、極薄のベースと、該ベースの表面側に設けられたヘア材と、該ベースの裏面側に形成された粘着層と、該粘着層に貼着された剥離紙と、取付けテープとからなり、上記ベースがパッケージに上記剥離紙を介して剥離可能に貼着され、上記粘着層の粘着力は上記剥離紙の接着されている力より小でかつ取付けテープの吸着力より大であり、上記ベースがパッケージに貼着された状態で表面側から上記ベースに取付けテープを貼着して引きはがしたとき上記ベースが上記剥離紙から離脱し、さらに上記ベースがまぶたに装着された状態で上記取付けテープを引きはがしたとき上記ベースより上記取付けテープが離脱することを特徴とする。
また請求項１記載の取付けテープを用いたつけまつ毛において、上記取付けテープは細長いテープであり、表面の中央部に上記ヘア材の形成幅と同一幅のヘア材表示部が形成され、裏面にベースに貼着される吸着層が形成されることを特徴とする。
また請求項２記載の取付けテープを用いたつけまつ毛において、上記吸着層と上記ヘア材表示部とは「ずれ」を設けて形成されることを特徴とする。
また請求項３記載の取付けテープを用いたつけまつ毛において、上記吸着層の目頭側に非着部が形成されることを特徴とする。
また請求項４記載の取付けテープを用いたつけまつ毛において、上記非着部が２ｍｍであることを特徴とする。
また請求項３乃至請求項５のいずれか一記載の取付けテープを用いたつけまつ毛において、上記ヘア材表示部と目頭側端部との間にガイドラインが設けられることを特徴とする。
また請求項２乃至請求項６のいずれか一記載の取付けテープを用いたつけまつ毛において、上記ヘア材表示部と上記取付けテープの両端部には各々各別の色彩が施されることを特徴とする。
また請求項１記載の取付けテープを用いたつけまつ毛において、上記ベースの下端部が直線状にカットされ、上端部が突弧状にカットされることを特徴とする。
また請求項１記載の取付けテープを用いたつけまつ毛において、上記ベースの厚さが２０μ以下であることを特徴とする。
また本願発明によるつけまつ毛用取付けテープは、つけまつ毛のまぶたへの装着に用いられるテープであって、上記取付けテープは、表面の中央部に上記ヘア材の形成幅と同一幅のヘア材表示部が形成され、裏面にベースに貼着される吸着層が形成されることを特徴とする。
また請求項１０記載のつけまつ毛用取付けテープにおいて、上記吸着層と上記ヘア材表示部とは「ずれ」を設けて形成されることを特徴とする。
また請求項１１記載のつけまつ毛用取付けテープにおいて、上記ずれは上記吸着層の目頭側に非着部が形成されることを特徴とする。
また請求項１２記載のつけまつ毛用取付けテープにおいて、上記非着部が２ｍｍであることを特徴とする。
また請求項１０乃至請求項１３のいずれか一記載のつけまつ毛用取付けテープにおいて、上記ヘア材表示部と目頭側端部との間にガイドラインが設けられることを特徴とする。
また請求項１０乃至請求項１４のいずれか一記載のつけまつ毛用取付けテープにおいて、上記ヘア材表示部と上記取付けテープの両端部には各々各別の色彩が施されることを特徴とする。
また本願発明によるつけまつ毛の装着方法は、剥離紙がパッケージに接着されたパッケージ状態のつけまつ毛のベースに、表面側から取付けテープを貼着するステップと、上記取付けテープを操作して上記パッケージより引き剥がしたつけまつ毛をまぶたに装着するステップとからなり、まぶたへの装着ステップは上記取付けテープのガイドラインを目頭の位置に合わせ、中央部をまぶたに接着するステップと、次いで目頭側の一端部をまぶたに装着するステップと、次いで目尻側の他端部をまぶたに装着するステップとからなることを特徴とする。
また請求項１６記載のつけまつ毛の装着方法において、上記つけまつ毛はベースにヘア材が貼着されてなることを特徴とする。
また請求項１６記載のつけまつ毛の装着方法において、上記つけまつ毛はベースにヘア材が植え付けられてなることを特徴とする。
【発明の効果】
【００１６】
本願発明によれば、つけまつ毛各部の粘着力、接着力、吸着力の間に
剥離紙の接着力＞ベースの粘着力＞取付けテープの吸着力
の関係があるため、取付けテープの接着、引剥しという簡単な操作により、つけまつ毛をまぶたに簡単かつ正確に装着することができる。
【００１７】
また装着動作は装着されたつけまつ毛の装着力に全く影響を与えないから、装着中つけまつ毛がずれたり離脱するおそれがない。
【図面の簡単な説明】
【００１８】
【図１Ａ】（Ａ）は本願発明によるつけまつ毛をパッケージ化した状態の正面図、（Ｂ）は（Ａ）のＢ視斜面図である。
【図１Ｂ】（Ｃ）は図１Ａ（Ａ）のＣ視斜面図、（Ｄ）は図１Ａ（Ｂ）のＤ−Ｄ拡大断面図である。
【図２】（Ａ）は本願発明によるつけまつ毛の実施例を示す正面図、（Ｂ）は（Ａ）の平面図、（Ｃ）は（Ａ）の拡大左側面図、（Ｄ）は（Ａ）の背面図、（Ｅ）は（Ａ）の斜面図、（Ｆ）は（Ｄ）のＦ部拡大図である。
【図３】（Ａ）は本願発明によるつけまつ毛に用いられるベースの実施例を示す正面図、（Ｂ）は同他の実施例を示す正面図である。
【図４】（Ａ）は本願発明によるつけまつ毛に用いられるヘア材の例を示す正面図、（Ｂ）は（Ａ）の右側面図、（Ｃ）は同さらに他の実施例を示す正面図、（Ｄ）は（Ｃ）の右側面図、（Ｅ）は同さらに他の実施例を示す正面図、（Ｆ）は（Ｅ）の右側面図、（Ｇ）は同さらに他の実施例を示す正面図、（Ｈ）は（Ｇ）の右側面図である。
【図５】本願発明によるつけまつ毛用取付けテープを示し、（Ａ）は右目用取付けテープの正面図、（Ｂ）は（Ａ）の裏面図、（Ｃ）は目との位置関係を示す図、（Ｄ）は左目用取付けテープの正面図、（Ｅ）は（Ｄ）の裏面図、（Ｆ）は目との位置関係を示す図である。
【図６】本願発明によるつけまつ毛の製造方法の例を示し、（Ａ）は第１工程、（Ｂ）は第２工程、（Ｃ）は第３工程、（Ｄ）は第４工程及び第５工程を示す。
【図７】（Ａ）は本願発明によるつけまつ毛に取付けテープを装着した状態を示す正面図、（Ｂ）はパッケージからつけまつ毛を剥すステップを示す図である。
【図８】（Ａ）は本願発明によるつけまつ毛をまぶたに装着する姿勢を示す図、（Ｂ）は本願発明によるつけまつ毛をまぶたに装着する第１ステップを示す図である。
【図９】（Ｃ）は本願発明によるつけまつ毛をまぶたに装着する第２ステップを示す図、（Ｄ）は同第３ステップを示す図である。
【図１０】（Ｅ）は本願発明によるつけまつ毛をまぶたに装着する第４ステップを示す図、（Ｆ）は同第５ステップを示す図である。
【図１１】本願発明によるつけまつ毛の装着状態を説明する図である。
【図１２】（Ａ）は本願発明によるつけまつ毛の装着状態を示す概略正面図、（Ｂ）は（Ａ）の右側面図、（Ｃ）は（Ｂ）のＣ部拡大図である。
【図１３】（Ａ）はベースの切断を説明する図、（Ｂ）は本願発明によるベースの切断を説明する図である。
【図１４】（Ａ）は本願発明によるつけまつ毛の他の実施例を示す正面図、（Ｂ）は（Ａ）の平面図、（Ｃ）は（Ａ）の拡大左側面図、（Ｄ）は（Ａ）の背面図、（Ｅ）は（Ａ）の斜面図、（Ｆ）は（Ｄ）のＦ部拡大図である。
【図１５】（Ａ）は本願発明によるつけまつ毛の他の実施例を示す拡大側面図、（Ｂ）は（Ａ）のＢ部拡大図、（Ｃ）はさらに他の実施例を示す拡大側面図である。
【図１６】（Ａ）は従来のつけまつ毛の一例を示す正面図、（Ｂ）は（Ａ）のつけまつ毛の装着状態を示す概略正面図である。
【図１７】従来のつけまつ毛の他の例を示す正面図、（Ｂ）は（Ａ）のつけまつ毛の装着状態を示す概略正面図である。
【図１８】従来のつけまつ毛の装着状態を説明する図である。
【発明を実施するための形態】
【００１９】
次に、実施の形態を示す図面に基づき本願発明によるつけまつ毛、つけまつ毛用取付けテープ及びつけまつ毛の装着方法をさらに詳しく説明する。なお、便宜上同一の機能を奏する部分には同一の符号を付してその説明を省略する。
【００２０】
図１Ａ乃至図５において、１はベースであり、人皮程度の極薄のシート（例えば厚さ２０μ）からなる。該ベース１は伸縮性のある素材例えばポリウレタン製であり、色彩は透明で薄い肌色であり、実質平たい平面形状に形成される。該ベース１は、表面の下端部１ｃに長手方向に沿って余白部２ａが設けられ（図２（Ｆ）に最もよく示す）、該余白部２ａを残して下端部１ｃに接着層４が形成される。また接着層４の両端部にも略同大の余白部２ｂが設けられる（図２（Ｆ）に最もよく示す）。上記接着層４はＵＶ硬化剤からなり、上記ベース１上に直線状に形成され（図６（Ｂ）に示す）、ここにヘア材３が貼着される。１ｄは突弧状に形成されたベース１の上端部である。上記ベース１の裏面には全面に人体に装着させるための医療用接着剤からなる粘着層７が形成される。該粘着層７は例えばアクリル系粘着剤からなり、転写法により、上記ベース１の裏面全面に均等な厚さで形成される。
【００２１】
ヘア材３は例えばポリエステル繊維からなり、上記ベース１に個々に分離状態にて貼着される。該ヘア材３は先端部が上方に向かってカールして形成され、かつ先細りのテーパ状に形成される。上記ヘア材３の根元部５は、図２（Ｃ）に示すように球状に形成され、上記接着層４に貼着される。この貼着は、図２（Ｃ）に示すように、上記根元部５が上記接着層４の下端部４ａに位置するようにする。その理由は後述する。
【００２２】
９はＰＥＴからなる剥離紙であり、上記粘着層７に剥離可能に貼着される。上記剥離紙９は、裏面に接着剤からなる約６０μの接着層９ａ（図１（Ｄ）に示す）が形成され、表面に後記パッケージ４０の正面部４０ａからの剥離が容易となるよう適宜の表面加工（図示省略）がされる。
【００２３】
図３は図２のつけまつ毛に使用されるベース１を示す。ここで余白部について説明する。余白部２ａ、２ｂの大きさは、毛髪１本分の直径より小程度とする。具体的には、ａ1＝約０．１ｍｍ乃至約０．６ｍｍ、ａ2＝約０．１ｍｍ乃至約０．６ｍｍ程度とするのが望ましい。なお、本実施例の場合ベース１は、日本人の目の大きさｉ（図１２（Ａ）に示す）が平均約３０ｍｍであるため、長さＬ＝約２６ｍｍとしてあり、最大幅は一重用Ｗ1＝約２．６ｍｍ、二重用、奥二重用Ｗ2＝約４ｍｍとしてある。なお、ベース１の形状は、適用されるまぶたの形状により種々の変形がある。
【００２４】
またここでヘア材３について説明する。図２の実施例においては、個々に分離状態にて貼着される多数本からなるヘア材３が、線状部材３１にて連結した状態で接着層４に貼着される。上記ヘア材３の態様は種々あり、例えば図４に示すように、単一又は複数の線状部材３１に多数本のヘア材３を絡ませたり（絡合）、結着させる。図４（Ａ）、（Ｂ）は絡み合う２本の線状部材３１、３１の間に多数本のヘア材３を挟み込み、接着層４の接着成分の中に挿入した場合である。図４（Ｃ）、（Ｄ）は平行する２本の線状部材３１、３１の間に多数本のヘア材３を挟持し、接着層４の接着成分の中に挿入した場合である。図４（Ｅ）、（Ｆ）は１本の線状部材３１に多数本のヘア材３を接着剤で接着し、この状態で接着層４の接着成分の中に挿入した場合である。図４（Ｇ）、（Ｈ）は１本の線状部材３１にヘア材３を多数結着させ、この状態で接着層４の接着成分の中に挿入した場合である。線状部材３１としては、糸、テグスなどがある。ヘア材３の長さｄは２ｍｍ位〜１２ｍｍ位に形成される。貼着されるヘア材３の幅ｅは１０ｍｍ位〜５０ｍｍ位が多い。各ヘア材３は図４（Ａ）〜（Ｈ）に示すヘア材ユニット３Ａの段階からすべて上方にカールしており、中央付近のヘア材３が他の部分のものより長く形成されている。
【００２５】
なお、図４は模式図であり、ヘア材３の植え付け本数は簡略化して示してある。
【００２６】
４０は正面部４０ａがわん曲されてなるパッケージである。該パッケージ４０には、剥離紙９の裏面に塗布された接着剤からなる接着層９ａ（図１Ｂ（Ｄ）に示す）が剥離可能に貼着される。上記構成のつけまつ毛はかかる状態で出荷され、店頭にディスプレイされる。
【００２７】
図５は取付けテープ３０を示す。該取付けテープ３０は幅Ｄ＝２ｍｍ、長さＬ1＝８０ｍｍの細長いテープであり、表面の中央部に、上記ヘア材３が上記ベース１に貼着される幅と同一幅Ｌ2のヘア材表示部３２が形成され、裏面に同一幅Ｌ2で上記ベース１に貼着される吸着層３３が形成される。本実施例の場合Ｌ2＝２６ｍｍである。３５はガイドラインであり、該ヘア材表示部３２より所定の間隔Ｌ3だけ目頭側端部３０ａ側に離間した位置に形成される。該所定の間隔Ｌ3は、日本人の平均値より割り出した数値、例えば、一重まぶた用の場合４ｍｍ、二重まぶた用及び奥二重まぶた用の場合７ｍｍに設定される。上記吸着層３３と上記ヘア材表示部３２とは「ずれ」を設けて形成される。即ち、上記吸着層３３は所定の間隔Ｌ4だけ目尻側端部３０ｂに変位されて形成される。よって、吸着層３３の目頭側端部３０ａ側の端部に、吸着剤のない非着部３３ａが形成される。この非着部３３ａの大きさは、例えば、一重まぶた用の場合２ｍｍ、二重まぶた用及び奥二重まぶた用の場合２ｍｍに設定される。
【００２８】
上記ガイドライン３５の逃げ位置Ｌ3を設けるのは次の理由からである。第１に、上記ガイドライン３５を目頭２１ｂギリギリに形成するとベース１がまぶたより剥離し易いという欠点があるためである。これは試行錯誤の結果、本発明者が発見した事実に基づく。第２に、まぶたの二重ラインは正確にいうと、目頭２１ｂから始まっていないので、一重まぶたの場合に上記ガイドライン３５を目頭２１ｂギリギリに形成すると二重ラインが自然の状態から変更されてしまうからである。また二重まぶたの場合には、自らの二重ラインが崩されてしまうからである。よって、上記ガイドライン３５の逃げ位置Ｌ3を一重まぶた用では４ｍｍ、二重まぶた用及び奥二重まぶた用では７ｍｍに設定したのである。
【００２９】
取付けテープ３０の中央部に設けられるヘア材表示部３２と、両端部３０ａ、３０ｂとは、つけまつ毛の上まぶた２０への装着動作を円滑にするため、各別の色彩が施される。本実施例の場合、ヘア材表示部３２はピンク色に、目頭側端部３０ａは緑色に、目尻側端部３０ｂは青色に色分けされている。
【００３０】
ここで、各部の着力の関係について述べる。上記ベース１の粘着力Ａ、剥離紙９の接着力Ｂ及び取付けテープ３０の吸着力Ｃは、
剥離紙９の接着力Ｂ＞ベース１の粘着力Ａ＞取付けテープ３０の吸着力Ｃ（ただし、剥離紙９の表面に剥離容易となる表面加工がなされる）
の関係にある。
【００３１】
<製造工程>
本願発明によるつけまつ毛は、例えば次の工程により製造される。
【００３２】
本願発明によるつけまつ毛用ベースを用いたつけまつ毛の製造は、例えば次の工程による。
【００３３】
第１工程（ベース供給工程）
作業台１２の作業位置Ｔの上にリール１３に巻かれた長尺状のベース母材１Ｍから１区画分のベース母材１Ｍが供給される（図６（Ａ））。上記ベース母材１Ｍの裏面には粘着層７が形成され、その裏には剥離紙９が貼られている。
【００３４】
第２工程（接着剤供給工程）
上記１区画分のベース母材１Ｍの適宜位置に接着層４となる接着剤が供給される（図６（Ｂ））。接着層４は、便宜上、図６（Ｂ）及び図６（Ｄ）では水平方向に２箇配設されるが、適宜箇数歩留りの良いように１区画分のベース母材１Ｍ上に設けられる。上記接着剤の供給は、作業台上に固定された１区画分のベース母材１Ｍ上に、図示しない供給パイプを水平に移動することにより直線状になされる。
【００３５】
第３工程（ヘア材の貼着工程）
多数のヘア材３を線状部材３１に連結してなるヘア材ユニット３Ａ（図６（Ｃ）に示す）を開閉自在の一対のロボット軸１５で把持し、この状態で上記ヘア材を上記ロボット軸１５を下降せしめて接着層４に貼着する（図６（Ｄ））。上記ヘア材３の貼着は、上記ロボット軸１５を適宜に位置調節することにより行なう。
【００３６】
第４工程（製品化工程）
かくして一点鎖線Ｍにて示す１区画分のベース母材１Ｍにヘア材が貼着されると、ベース１は図示しないサイズパターンスケールに合わせて所定形状に切断され、つけまつ毛製品となる。このような作業が連続的に繰り返される。
【００３７】
ベース１は、レーザ光Ｒにより、図示しないカットラインに基づき下端部１ｃが直線状で上端部１ｄが突弧状の図３に示すような所定形状に切断される。ベース１のレーザ光Ｒによる切断については図１３を参照して後述する。
【００３８】
<つけまつ毛の装着方法>
【００３９】
本願発明によるつけまつ毛は剥離紙９がパッケージ４０に接着された状態でディスプレイされている（図１Ａ（Ａ）〜図１Ｂ（Ｄ））。
【００４０】
このパッケージ状態のつけまつ毛のベース１に、表面側から取付けテープ３０を貼着する（図７（Ａ））。
【００４１】
次いで、上記取付けテープ３０の一端部を手に持って引き剥がす（図７（Ｂ））。
【００４２】
すると、各部の粘着力Ａ、接着力Ｂ，吸着力Ｃの間に次の関係があるため、剥離紙９がパッケージ４０に残され、ベース１が取付けテープ３０に貼着された状態でパッケージ４０から引き剥される。
【００４３】
剥離紙９の接着力Ｂ＞ベース１の粘着力Ａ＞取付けテープ３０の吸着力Ｃ
【００４４】
次いで、上記取付けテープ３０を両手で持ち、両肘を図示しないテーブルに固定した状態とする（図８（Ａ））。
【００４５】
次いで、取付けテープ３０を上まぶた２０に沿って配置する。このとき目２１は開とする（図８（Ｂ））。
【００４６】
次いで、ガイドライン３５を目頭２１ｂの位置に合わせ、取付けテープ３０の中央部３０ｃを上まぶた２０に着ける（図９（Ｃ））。このとき目２１は開のままである。
【００４７】
次いで、目頭側端部３０ａ、次いで目尻側端部３０ｂの順にわん曲下降させる（図９（Ｄ））。このとき目２１は開のままである。２１ｃは目尻を示す。
【００４８】
このように、中央部３０ｃ、目頭側端部３０ａ、目尻側端部３０ｂの順に取付けテープ３０を指で上から押さえてベース１を上まぶた２０に固定し装着する。このときつけまつ毛を自まつ毛の生え際に沿って貼着するようにする。装着後取付けテープ３０を剥す（図１０（Ｅ））。
【００４９】
かくして右目側上まぶた２０へのつけまつ毛の装着は完了する（図１０（Ｆ））。
【００５０】
同様の要領で左目側の調整をする。
【００５１】
上記実施の形態によれば次の効果がある。
【００５２】
<位置合わせ、ハンドリングの容易性、迅速性、正確性>
位置合わせにつき詳しく説明すると、取付けテープ３０、ベース１及びこれらを操作する手の力学的関係は次の如くになる。図８（Ａ）に示すように、まず、テーブルに着いた両肘が支点Ｆ、Ｆとなり、取付けテープ３０の両端部を操作する手指が力点Ｐ、Ｐとなり、この手指により動かされるベース１の一端部が作用点Ｏとなる。
【００５３】
このため、てこの原理により、作用点Ｏでは小さな動作を可能とするので、装着動作を微妙かつ繊細な動きに変換することが可能となる。
【００５４】
また両肘が支点Ｆ、Ｆとなるため、装着動作が安定する。よって、上まぶた２０という極薄かつ鋭敏な器官への装着を容易、迅速かつ正確に行なうことができる。
【００５５】
また、上まぶた２０に対しベース１が中央部及び両端部において確実に装着されるので、装着中のずれ、離脱を確実に防止し、また装着位置を正確に維持することが可能となる。
【００５６】
さらに、本願発明によるつけまつ毛は貼着面が面状に幅広に構成され、この幅広の貼着面が上瞼２０に貼着される。この貼着に当たり、ベース１は面状であって基端部１ｃが実質上直線状にかつ先端部１ｄが突弧状に形成されているから、取付けテープ３０をベース１に取り付け易い。ベース１の変形は、従来３６０°のあらゆる方向に変形しているのに対し、図１１に示すように、一方向のみ（上下方向）であり、それ以外の変形は実質上無視することができる。
【００５７】
よってつけまつ毛の装着に当たり、上瞼２０下縁へのヘア材３の位置合わせ及び取付けは取付けテープ３０の接着、引剥しという簡単な操作をすることと、ベース１の面が幅広の取扱い易い面であることから非常に容易となり、装着作業の手間と時間を大幅に節約することができる。また貼着面が面状であり上瞼２０に貼着される面積が広いので、装着中つけまつ毛がずれたり離脱するおそれがない。
【００５８】
<装着点の視認効果>
ベース１の中央部を固定した後てこの原理により装着することができるということは、換言すれば、装着される上まぶた２０付近には手指その他の物がないということであり、このため、装着点を見ながら装着することが可能となる。なお、装着動作中は必ず目２１を開にしてなす必要がある。
【００５９】
よって装着点が隠弊されず、従来勘に頼っていた装着動作を視認により確実になすことができる。
【００６０】
これによっても、確実かつ正確な装着、容易迅速な装着、見映えの良い美麗な装着をすることができる。
【００６１】
<装着の美麗効果等>
ベース１は厚さが２０μｍ程度、取付けテープ３０の吸着層３３も６０μ程度と極薄素材からなるため、従来のように剥離紙９からベース１を剥した状態でピンセット等により上まぶた２０に貼着しようとすると、手指のちょっとした動作によっても手元が狂い、これによりベースフィルムがくちゃくちゃになったり、正確に装着動作をしたようと思ってもベース１にしわが寄ったまま貼着してしまうことが多発していた。
【００６２】
しかしながら、本願発明によるつけまつ毛においては、ベース１が取付けテープ３０によって伸長された状態で上まぶた２０に貼着されるから、取付けしわのない状態で確実に上まぶた２０に貼着することができる。これにより、目元が一層美麗に見える効果がある。
【００６３】
上まぶた２０に装着するベースフィルムは柔らかく、かつ薄くする方が望ましいのであるが、そうすればする程ハンドリング性、位置合わせ性は低下する。つまり、ハンドリング性、位置合わせ性と美麗効果との同時達成は困難なのであるが、本願発明においては上記した位置合わせ性、ハンドリング性の効果があることにより、ベース１の素材を一層薄く柔らかくすることが可能になり、使用感も向上する。
【００６４】
吸着層３３を目頭２１ｂまで設けると、上瞼２０に装着後取付けテープ３０のみを剥がす際につけまつ毛までもが剥がれるおそれがあるが、本願発明においては、取付けテープ３０の吸着層３３とヘア材表示部３２との間に「ずれ」があり、非着部３３ａを設けてあるため、かかるおそれがない。
【００６５】
取付けテープ３０はガイドライン３５がヘア材表示部３２より所定間隔Ｌ3離れて形成されているため、ベース１がまぶたからずれたり剥離されるのを防止することができる。
【００６６】
またガイドライン３５が逃げ位置Ｌ3を設定されて形成されるため、まぶたの二重ラインの破壊または変更を防止することができる。
【００６７】
<その他の効果>
ベースフィルムは極薄のため損傷し易いのであるが、本願発明においては先の尖ったピンセット等ではなく、取付けテープ３０を用いて取り付けるため、ベース１の損傷を防止する。よってベース１の損傷による目への傷害危険を防止するだけではく、美感が向上する効果がある。
【００６８】
上記各実施の形態においては、上記したところに加え、ヘア材３がヘア材ユニット３Ａからレーザ光により切断されて取り出されるため、次の効果がある。
【００６９】
各ヘア材３は上方にカールした状態を維持したまま分離状態でベース１に貼着されているが、まぶたに装着されると、後述のように上瞼２０が突弧状に開となるため、貼着された各ヘア材３の各根元部５も上瞼２０に沿って突弧状に配列される。この結果平行に貼着されていた各ヘア材３に放射状の角度がつき、各ヘア材３間に形成されている隙間がより拡開される。各ヘア材３のラインは図１２（Ａ）乃至図１２（Ｃ）に示すように自まつげ２２の直上に貼着されるから、自まつげ２２がこの拡開された隙間から顔を出し各ヘア材３のラインと同一ライン上になる。よって装着されたつけまつ毛が自毛と渾然一体となる効果がある。
【００７０】
ヘア材３の根元部５が球状に形成されるため、根元部５の球面のどの部分でも接着層４に貼着することができる。よってヘア材３の貼着角度を調節することができるので、用途によって製品を群別でき、製品の拡張を図ることができる。例えば、図２（Ｃ）に示すように接着層４に対しヘア材３を直交状に貼着すればまつ毛が大きく見えるので若者向けとなり、図１５（Ｃ）に示すように接着層４に対しヘア材３を傾斜して貼着すればまつ毛の量が多く見えるので年配者向けとなる。
【００７１】
ここで上瞼２０への装着良好性及び装着容易性を前記したレーザ光による切断効果との関係でさらに詳しく述べる。まず、ヘア材３は把持された状態においてレーザ光により直線状に切断されるから、ヘア材３の根元部５が球状に形成され、根元部５の球面のどの部分でも接着層４に貼着することができる。よってカールした毛先の方向性が整列された状態のまま容易に上瞼２０に貼付することができるのである。
【００７２】
また、ベース１は上瞼２０下縁の自毛に沿って貼着されるところ、ヘア材３の根元部５が接着層４の下端部４ａに貼着されるため、貼着されたヘア材３に沿って若干の余白部２ａを残してベース１をぎりぎりにカットすることができる。このため、自まつ毛２２とヘア材３とが図１２（Ａ）乃至図１２（Ｃ）に示すように略同一線上に重なるから自まつ毛２２と区別することができず、このため見栄えが非常に良好となる。加えて接着層４の残部が視界に入ってこないので、視界が良好となる。つまり、ヘア材３の根元部５が接着層４の中央部に貼着されると、自まつ毛２２とヘア材３とが上下に二重になって甚だ不体裁となるだけでなく、接着層４の残部が視界に入ってくるので視界に霧がかかったようになって悪化するのであるが、これが防止される。
【００７３】
この点に関してさらに述べる。ベース１を図３に示す所定の形状に切断するには、ベース１の裏面からレーザ光Ｒを照射して行なう。この切断において、図１３（Ａ）に一点鎖線で示すように、レーザ光Ｒをベース１とくにヘア材３が貼着されるラインぎりぎりに沿って直角に照射すると、ヘア材３を損傷することが多い。そこでレーザ光Ｒは、図１３（Ａ）に実線で示すように、接着層４に対し傾斜（例えば接着層４に対し６０°くらいに傾斜させる）させて照射しベース１を切断している。このようにすれば接着層４付近に貼着されているヘア材３を損傷することが防止される。しかしながら、このようにレーザ光Ｒを傾斜して照射すると、ベース１の裏面に形成された粘着層７ａの全部又は一部が溶解して裏面から脱落又は一部が剥離してしまう。こうなると上瞼に装着したとき、上瞼との一体装着性は失なわれ、装着力が低下するだけでなく、ベース１の一部が上瞼から剥離した場合ベース１と上瞼との間にギャップができるので、いかにもつけまつ毛然となり外観上自然毛と見分けがつき易くなる。
【００７４】
また図１３（Ａ）に実線で示すように、接着層４に対し傾斜させてレーザ光Ｒを照射すると、ヘア材３を貼着する接着層４の一部を破壊損傷することがあり、こうなるとヘア材３がベース１から脱落するおそれがある。
【００７５】
本実施の形態においては、図１３（Ｂ）に実線で示すように、レーザ光Ｒを下端部１ｃとなるべき部位に対し傾斜（例えばベース１に対し６０°くらいに傾斜させる）させて照射する。このようにしてもベース１の表面の下端部相当部位１ｃに対し長手方向に沿って余白部２ａが設けられ、かつ接着層４の両端部にも略同大の余白部２ｂが設けられているので、ヘア材３を損傷することがなく、かつレーザ光Ｒの出力も小とできるので照射付近の粘着層７の溶解も防止される。よって装着中のつけまつ毛の上瞼からの脱落防止及びヘア材３のベース１からの脱落を防止することができる。
【００７６】
ヘア材３は肉眼では意識されない程度の若干の余白部２ａを残してベース１のぎりぎりに貼着される。このため、自まつ毛２２とヘア材３とが図１２（Ａ）乃至図１２（Ｃ）に示すように略同一線上に重なるから自まつ毛２２と区別することができず、このため見栄えが非常に良好となる。また前述のように接着層４の残部が視界に入ってこないので、視界が良好となる。つまり、ヘア材３がベース１のぎりぎりに貼着されていないと、自まつ毛２２とヘア材３とが上下に二重になって甚だ不体裁となるだけでなく、接着層４の残部が視界に入ってくるので視界に霧がかかったようになって悪化するのであるが、これが防止される。
【００７７】
また、ベース１の両端部にも余白部２ｂが残されるため、ここにヘア材３が貼着されることがないから、自まつ毛２２の生え際とヘア材３の貼着部位が一致する。よって加工されるつけまつ毛がより自然的になる効果がある。
【００７８】
さらに余白部２ａと自まつ毛２２との間に形成される若干のギャップｇ（図１２（Ｃ）に示す）にアイライン化粧料（図示せず）を塗布することもできる。
【００７９】
さらに図２に示す実施の形態の場合、ベース１は平面形状に形成され、二次元的にも三次元的にも特定のユーザ用に加工されていない。
【００８０】
上瞼２０の皮膚は経時的に劣化し段々とたるんでくるが、この引き上げ効果により上瞼２０の皮膚のたるみ程度に応じてカット面積を調節し、上瞼２０を上方に引き上げ、これにより、目元を一層ぱっちりとすることができ、アンチ・エージング効果が生ずる。
【００８１】
さらにまた、ベース１が平面状に形成され、該ベース１の下端部にヘア材３が直線状に形成される場合において、ベース１が上瞼２０に貼着されるとベース１が突弧状の上瞼２０に沿って突弧状になるため、個々分離状態で貼着されている各ヘア材３が放射状に拡開される。このためまつ毛（実は「つけまつ毛」）のラインが濃く見え、目元がぱっちり大きく見えるのである。
【００８２】
本願発明によるつけまつ毛は上記した実施の形態に限定されない。例えば、適用対象は、上記したベース１にヘア材３が貼着されてなるつけまつ毛だけでなく、ベース１にヘア材３が植え付けられてなるつけまつ毛にも適用することができ、適用対象を選ばない。
【００８３】
また、適用部位として、上記実施の形態では本願発明によるつけまつ毛を上瞼に装着する場合について説明したが、下瞼に装着することもできる。
【００８４】
ベース１は、図１４に示す如く、上瞼２０のわん曲形状に合致するよう三次元形状に形成されたつけまつ毛であっても適用可能であり、上記した作用、効果を奏することができる。
【００８５】
またヘア材３は、図１４の如く、線状部材３１なしに接着層４に多数本のヘア材を直接貼着することもできる。また線状部材３１を用いる場合において、上記ヘア材３と上記線状部材３１とは一体に形成することもできる。
【００８６】
ヘア材３は、根元部５が球状以外の他のわん曲形状（例えば断面弧状）であってもよく、また図１５（Ａ）、（Ｂ）に示すようにカッタ等により扁平状に切断されても上記と同様の効果を有する。
【００８７】
また各ヘア材３の根元部５の貼着角度は、上記各図示例のような直交状ではなく、図１５（Ｃ）に示すように下向きの傾斜状にすることもできる。この場合傾斜角度は例えば４５°が考えられるが、ユーザの目的、年齢等により適宜に選択される。
【００８８】
取付けテープ３０、ベース１、ヘア材３等の各部のサイズについて本文中で述べた数値は一例として理解すべきである。とくにベース１の厚さは極薄のシートであれば、例えば３０μ、４０μ、５０μ、６０μ、７０μ、８０μ、９０μであってもよい。なお、ヘア材３の長さは問わない。また取付けテープ３０の各サイズＤ及びＬ1、Ｌ2、Ｌ3、Ｌ4も、一例として理解すべきである。
【００８９】
接着層４を構成する接着剤は瞬間的に強固に接着する接着剤であればよく、例えばシアノアクリレートを主成分とする瞬間接着剤を用いることもできる。
【００９０】
ベース１への接着剤の供給に関し、上記実施の形態で述べたようにベース１は移動させずに接着剤を供給する場合の他、ベース１は作業台１２の上に区画分毎に切断して多数置いておき、接着剤を供給してもよいし、また長尺状のベース１のまま作業台１２の上に置いておき接着剤の供給後に区画分毎に切断してもよい。
【００９１】
しかし、上記とは反対に、ベース１を移動させて、その移動時に接着剤を供給することが考えられる。この場合は、接着剤はベース１が一方向に供給されるとき供給パイプがベース１上に動作し、ベース１の移動時に所定時間ＯＮとなってベース１上に接着剤を直線状に供給する。
【００９２】
各ヘア材３の連接部の切断は接着層４の付与前又は接着剤供給と同時にしてもよい。
【産業上の利用可能性】
【００９３】
本願発明はつけまつ毛として活用することができる。
【符号の説明】
【００９４】
１      ベース
１ｂ    上部スペース
１ｃ    下端部
１ｄ    上端部
１Ｍ    ベース母材
２ａ    余白部
２ｂ    余白部
３      ヘア材
３Ａ    ヘア材ユニット
３ｂ    基端部
４      接着層
４ａ    下端部
５      根元部
６      先端部
７      粘着層
９      剥離紙
９ａ    接着層
１２    作業台
１３    リール
１５    ロボット軸
２０    上瞼
２１    目
２１ａ  上方曲線
２１ｂ  目頭
２１ｃ  目尻
２２    自まつ毛
３０    取付けテープ
３０ａ  目頭側端部
３０ｂ  目尻側端部
３０ｃ  中央部
３１ 線状部材
３２    ヘア材表示部
３３    吸着層
３３ａ 非着部
３５    ガイドライン
４０    パッケージ
４０ａ  正面部
Ａ      ベースの粘着力
Ｂ      剥離紙の接着力
Ｃ      取付けテープの吸着力
Ｆ      支点
Ｐ      力点
Ｏ      作用点
Ｌ      カットライン
Ｍ      カットライン
Ｔ      作業位置
【手続補正２】
【補正対象書類名】図面
【補正対象項目名】図５
【補正方法】変更
【補正の内容】
【図５】
2012046852.tif 000022
【手続補正３】
【補正対象書類名】図面
【補正対象項目名】図７
【補正方法】変更
【補正の内容】
【図７】
2012046852.tif 000023
【手続補正４】
【補正対象書類名】図面
【補正対象項目名】図８
【補正方法】変更
【補正の内容】
【図８】
2012046852.tif 000024
【手続補正５】
【補正対象書類名】図面
【補正対象項目名】図９
【補正方法】変更
【補正の内容】
【図９】
2012046852.tif 000025
【手続補正書】
【提出日】平成23年7月27日(2011.7.27)
【手続補正１】
【補正対象書類名】明細書
【補正対象項目名】００２２
【補正方法】変更
【補正の内容】
【００２２】
９はＰＥＴからなる剥離紙であり、上記粘着層７に剥離可能に貼着される。上記剥離紙９は、裏面に接着剤からなる約６０μの接着層９ａ（図１Ｂ（Ｄ）に示す）が形成され、表面に後記パッケージ４０の正面部４０ａからの剥離が容易となるよう適宜の表面加工（図示省略）がされる。
【手続補正２】
【補正対象書類名】明細書
【補正対象項目名】００６１
【補正方法】変更
【補正の内容】
【００６１】
<装着の美麗効果等>
ベース１は厚さが２０μｍ程度、取付けテープ３０の吸着層３３も６０μ程度と極薄素材からなるため、従来のように剥離紙９からベース１を剥した状態でピンセット等により上まぶた２０に貼着しようとすると、手指のちょっとした動作によっても手元が狂い、これによりベースフィルムがくちゃくちゃになったり、正確に装着動作をしたように思ってもベース１にしわが寄ったまま貼着してしまうことが多発していた。